(57)【要約】  【課題】障子全閉状態を突出感知部によって検出するようにした空掛け防止機構を備えたクレセント錠において、前記突出感知部と外障子との干渉を無くす。  【解決手段】ベース部材3内部に、上下方向に移動可能に配設されたスライド部材15と、このスライド部材15の昇降に伴って室外障子8側への突出量を増大させるトリガー部材16と、クレセント5の回動軸4と連結され、解錠状態時に前記スライド部材15との係合により昇降位置を制限するとともに、障子が正常閉鎖状態ならば、前記スライド部材15が昇降を開始し、前記トリガー部材16の先端側がクレセント受け金具11へ当接することにより、前記スライド部材15の昇降動作が停止されることで回動が許容され、障子が不正閉鎖状態ならば、操作レバー6の回動操作に伴い、前記スライド部材15が昇降上限位置まで移動することにより回動が阻止される回動子17とから構成される空掛け防止機構14を備える。【選択図】図３
2006161276.tif 000002
【特許請求の範囲】
【請求項１】
室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるクレセント錠において、
前記施錠側金具のベース部材内部に、上下方向に移動可能に配設されるとともに、上方向に付勢保持されたスライド部材と、
このスライド部材の昇降に伴って、室外障子側への突出量を増大させるトリガー部材と、
前記クレセントの回動軸と連結され、解錠状態時に前記スライド部材との係合により該スライド部材の昇降位置を制限するとともに、施錠に当たり障子が正常閉鎖状態にあるならば、操作レバーの回動操作に伴い、前記スライド部材が昇降を開始し、前記トリガー部材の先端側がクレセント受け金具へ当接することにより、前記スライド部材の昇降動作が停止され、これにより前記スライド部材と衝合することなく回動が許容され、障子が不正閉鎖状態にあるならば、操作レバーの回動操作に伴い、前記スライド部材が昇降上限位置まで移動することにより、前記スライド部材との衝合により回動が阻止される回動子とから構成される空掛け防止機構を備えたことを特徴とするクレセント錠。
【請求項２】
室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるクレセント錠において、
前記施錠側金具のベース部材内部に、スライド部材と、トリガー部材と、回動子とから構成される空掛け防止機構を備え、
前記スライド部材は、上下方向に移動可能に配設されるとともに、上方向に付勢保持され、一部に傾斜辺を有するとともに、下部側に回動阻止部を有し、かつ前記回動子との係合により昇降方向の位置を規制するための昇降位置規制係合部を有し、
前記トリガー部材は、室外障子側に向けて突出可能に配設されるとともに、没入方向に付勢保持され、後端側が前記スライド部材の傾斜辺に摺接することにより、前記スライド部材の昇降に伴って、室外障子側への突出量を増大させるようにし、
前記回動子は、前記クレセントの回動軸と連結され、前記スライド部材に形成された回動子阻止部への当接により回動操作が阻止される衝合部を備えるとともに、周方向に沿って前記昇降位置規制係合部が係合するための摺動溝が所定範囲に亘って形成され、
解錠状態時において；前記回動子の摺動溝の端部に前記スライド部材の昇降位置規制係合部が係合し、昇降方向の位置が規制されることにより前記トリガー部材の突出量が制限された状態とされ、
解錠操作に当たり；障子が正常に閉鎖されている状態にあるならば、操作レバーの回動操作に伴い、前記回動子の摺動溝端部位置が移動することにより前記スライド部材が昇降動作を開始し、前記トリガー部材の先端がクレセント受け金具へ当接することにより前記スライド部材の昇降動作が停止され、これにより前記回動子は、スライド部材の回動阻止部と衝合することなく回動が許容され、
一方、障子が正常に閉鎖されていない状態にあるならば、操作レバーの回動操作に伴い、前記回動子の摺動溝端部位置が移動することにより前記スライド部材が昇降動作を開始し、引き続き前記スライド部材が昇降上限位置まで移動することにより、前記回動子は、スライド部材の回動阻止部への衝合により回動が阻止されるようにしたことを特徴とするクレセント錠。
【発明の詳細な説明】
【技術分野】
【０００１】
本発明は、室内障子及び室外障子が共に正常に閉鎖された状態時のみに施錠操作を可能とした空掛け防止機構付きのクレセント錠に関する。
【背景技術】
【０００２】
従来より、引き違い窓等のサッシ用施錠装置としてクレセント錠が知られている。このクレセント錠は、図１１に示されるように、室内障子５４の縦框に取り付けられるベース部材５１と、このベース部材５１に対してクレセント軸５３を介して回動自在に取り付けられた笠形状のクレセント５２と、室外障子５５に取り付けられ前記クレセント５２が係合するためのフック部５６ａを有するクレセント受け金具５６とからなる施錠装置５０である（例えば、下記特許文献１等参照）。
【０００３】
上記クレセント錠５０の場合は、内障子又は外障子が開放状態にあっても、クレセント５２を回動させることが可能であり、この施錠状態のまま障子を閉めると、外障子の縦框（召合せ框含む。）が室外側に突出したクレセント５２に衝突し、クレセントが変形したり損傷したりすることがあった。
【０００４】
上記問題を解決するために、例えば下記特許文献２〜４では、内障子及び外障子が正常閉鎖位置にあるとき以外はクレセント錠のハンドルが施錠方向に回転しないようにしたクレセント錠が提案されている。
【０００５】
前記特許文献２，３で提案されているクレセント錠は、外障子側へ突出した状態でハンドルの回動を阻止している突出部（感知部）を有しており、内障子および外障子を閉鎖したときに上記突出部が外障子の召合せ框に接触して没入することによりハンドルの回動阻止状態が解除されるように構成されたものである。
【０００６】
特許文献４で提案されているクレセント錠は、基台とクレセントとの間においてクレセント軸に回転自在に嵌め被せられ、かつクレセントの回転に伴ってこれと同方向に回転してその一部が内側障子の縦框の外面よりも外方に突出するようになされた施錠可能位置確認部材と、受け金に設けられかつクレセントと受け金とが施錠可能位置にあるときにクレセントとともに回転した施錠可能位置確認部材の一部が当接する当接部と、施錠可能位置確認部材の一部が受け金の当接部に当接した場合にクレセントのそれ以上の施錠方向への回転を許容するとともに、施錠可能位置確認部材の一部が受け金の当接部に当接しない場合にクレセントのそれ以上の施錠方向への回転を阻止する手段とを備えているものである。
【０００７】
さらに下記特許文献５では、室内障子及び室外障子が共に閉鎖された状態にある時以外は、クレセント錠の操作レバーが施錠方向に回動できないようにした空掛け防止機能を備えたクレセント錠が提案されている。具体的に、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【特許文献１】特開平１１−９３４８８号公報
【特許文献２】実公昭５７−５２３０３号公報
【特許文献３】実開昭５８−２５４６７号公報
【特許文献４】特開平９−２１７５３７号公報
【特許文献５】特開平９−１５８５８４号公報
【発明の開示】
【発明が解決しようとする課題】
【０００８】
しかしながら、上記特許文献２、３に記載されるクレセント錠の場合には、内障子や外障子を開閉する度に上記突出部が外障子の召合せ縦框に摺接するため、縦框に擦り傷が生じるようになる。また、前記突出部を外障子に対して接触させるためには、突出部側の機構を内障子の縦框内部に組み込まなければならず、構造が複雑化するなどの問題がある。更に、クレセント錠側に突出する前記突出感知部を設け、この突出感知部を外側障子との接触により没入させる機構の場合、例えば換気や清掃のために内障子及び外障子の一方を、他方の障子を越える位置まで移動させると、前記突出感知部が突出した状態のままであるため、外側障子の戸先側縦框に衝突し破損することがあるなどの問題があった。
【０００９】
また、前記特許文献４に記載されるクレセント錠の場合には、受け金具にＬ字状の屈曲する当接部を連設するものであり、この当接部が衣類に引っ掛かったり、手に切り傷を負う原因となるなどの問題がある。
【００１０】
さらに、前記特許文献５に記載されるクレセント錠の場合には、前記揺動体の他端が上記クレセント受けもしくは外障子の召合せ框に当接する反力によって作動するとともに、前記揺動体がクレセント受け金具の表面を摺接するため、操作レバーの回動操作の抵抗が大きくなるため施錠操作がしづらいなどの問題があった。
【００１１】
そこで本発明の主たる課題は、障子の全閉状態を突出感知部によって検出するようにした空掛け防止機構を備えたクレセント錠であって、室外障子の縦框に擦り傷を付けることが無いとともに、換気や清掃などの際、外障子又は内障子をどのように移動させても前記突出感知部と外障子との干渉を無くすことにある。また、操作レバーの回動操作も通常のクレセントと同様の力で容易に回動操作できるようにすることにある。
【課題を解決するための手段】
【００１２】
前記課題を解決するために請求項１に係る本発明として、室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるクレセント錠において、
前記施錠側金具のベース部材内部に、上下方向に移動可能に配設されるとともに、上方向に付勢保持されたスライド部材と、
このスライド部材の昇降に伴って、室外障子側への突出量を増大させるトリガー部材と、
前記クレセントの回動軸と連結され、解錠状態時に前記スライド部材との係合により該スライド部材の昇降位置を制限するとともに、施錠に当たり障子が正常閉鎖状態にあるならば、操作レバーの回動操作に伴い、前記スライド部材が昇降を開始し、前記トリガー部材の先端側がクレセント受け金具へ当接することにより、前記スライド部材の昇降動作が停止され、これにより前記スライド部材と衝合することなく回動が許容され、障子が不正閉鎖状態にあるならば、操作レバーの回動操作に伴い、前記スライド部材が昇降上限位置まで移動することにより、前記スライド部材との衝合により回動が阻止される回動子とから構成される空掛け防止機構を備えたことを特徴とするクレセント錠が提供される。
【００１３】
請求項２に係る本発明として、室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるクレセント錠において、
前記施錠側金具のベース部材内部に、スライド部材と、トリガー部材と、回動子とから構成される空掛け防止機構を備え、
前記スライド部材は、上下方向に移動可能に配設されるとともに、上方向に付勢保持され、一部に傾斜辺を有するとともに、下部側に回動阻止部を有し、かつ前記回動子との係合により昇降方向の位置を規制するための昇降位置規制係合部を有し、
前記トリガー部材は、室外障子側に向けて突出可能に配設されるとともに、没入方向に付勢保持され、後端側が前記スライド部材の傾斜辺に摺接することにより、前記スライド部材の昇降に伴って、室外障子側への突出量を増大させるようにし、
前記回動子は、前記クレセントの回動軸と連結され、前記スライド部材に形成された回動子阻止部への当接により回動操作が阻止される衝合部を備えるとともに、周方向に沿って前記昇降位置規制係合部が係合するための摺動溝が所定範囲に亘って形成され、
解錠状態時において；前記回動子の摺動溝の端部に前記スライド部材の昇降位置規制係合部が係合し、昇降方向の位置が規制されることにより前記トリガー部材の突出量が制限された状態とされ、
解錠操作に当たり；障子が正常に閉鎖されている状態にあるならば、操作レバーの回動操作に伴い、前記回動子の摺動溝端部位置が移動することにより前記スライド部材が昇降動作を開始し、前記トリガー部材の先端がクレセント受け金具へ当接することにより前記スライド部材の昇降動作が停止され、これにより前記回動子は、スライド部材の回動阻止部と衝合することなく回動が許容され、
一方、障子が正常に閉鎖されていない状態にあるならば、操作レバーの回動操作に伴い、前記回動子の摺動溝端部位置が移動することにより前記スライド部材が昇降動作を開始し、引き続き前記スライド部材が昇降上限位置まで移動することにより、前記回動子は、スライド部材の回動阻止部への衝合により回動が阻止されるようにしたことを特徴とするクレセント錠が提供される。
【００１４】
上記請求項１、２記載の発明においては、解錠状態において、前記スライド部材の昇降位置が規制される結果、突出感知部となる前記トリガー部材の突出量が制限された状態となるため、換気や清掃等のために内障子及び外障子の一方を、他方の障子を越える位置まで移動させたとしても、前記トリガー部材と外側障子の戸先側縦框とは一切接触することがなくなる。
【００１５】
また、施錠操作に当たっても、操作レバーを回動させるとトリガー部材が突出し、クレセント受け金具に当接するか否かを感知するものであるため、従来のように、縦框に摺動傷を付けることがなくなる。さらに、操作レバーの回動操作時に、回動操作を抑制する力が作用しないので、通常のクレセントと同様の力で回動操作できるようになる。
【発明の効果】
【００１６】
以上詳説のとおり本発明によれば、障子の全閉状態を突出感知部によって検出するようにした空掛け防止機構を備えたクレセント錠において、室外障子の縦框に摺動傷を付けることが無いとともに、換気や清掃のために内障子又は外障子をどのように移動させたとしても、トリガー部材は外障子と一切接触することがない。また、操作レバーの回動操作も通常のクレセントと同様の力で回動操作できるようになる。
【発明を実施するための最良の形態】
【００１７】
以下、本発明の実施の形態について図面を参照しながら詳述する。
図１は本発明に係るクレセント錠１の障子への取付状態を示す要部平面図であり、図２(A)は前記クレセント錠１の正面図、(B)は室内側からの視図（縦断面図）、(C)は底面図、図３(A)は施錠状態、(B)は解錠状態を夫々示す正面図である。
【００１８】
前記クレセント錠１は、図１および図２に示されるように、室内障子７の召合せ縦框７Ａにビス孔９，９を介してビス等で取り付けられるベース部材３と、このベース部材３に対して回動軸４を回転中心として回動自在に取り付けられたクレセント５と、前記回動軸４と一体的に連設された操作レバー６とからなる施錠側金物２、及び室外障子８の召合せ框８Ａにビス孔１０，１０を介してビス等で取り付けられ、前記クレセント５が係合するためのフック１１ａを備えたクレセント受け金具１１からなる。
【００１９】
前記クレセント錠１は、図２および図３に示されるように、前記操作レバー６を摘み、クレセント５をほぼ１８０度範囲で回動させることにより、クレセント５の周囲に形成された、壁高を漸次テーパー状に変化させた環状周壁５Ａが前記クレセント受け金具１１に対して係脱し、窓の施錠または解錠が成されるようになっている。なお、符号１２はベース部材３の一端とクレセント５とを後述する回動子１７を介して間接的に連結している第１バネ部材であり、クレセント５の回動時に操作レバー６が水平の状態から施錠位置および解錠位置に対して付勢させるためのものである。また、符号１３は上下方向にスライド可能に設けられたロック片であり、ロック時には図３(A)に示されるように、クレセント５の回動範囲内に位置しクレセント５が回動できないように阻止するようになっており、特に図示の例では開閉表示が設けられ、前記クレセント５の回動が可能か否か一目で確認できるように配慮されている。また、ロック時にはベース部材３に埋め込まれた蛍光材３ａが露出することにより施錠の確認ができるように配慮されている。
【００２０】
本クレセント錠１では、室内障子７及び室外障子８が共に閉鎖された状態にある時以外は、クレセント上の操作レバー６が施錠方向に回動できないようにした空掛け防止機構１４を備えている。すなわち、室内障子７及び室外障子８が共に正常に閉鎖されていなければ、操作レバー６は回動が不能となり施錠できないようになっている。
【００２１】
前記空掛け防止機構１４は、図３に示されるように、前記ベース部材３の内部に、上下方向に移動可能に設けられたスライド部材１５と、先端側１６ａが室外障子側に突出するとともに、後端側１６ｂが前記スライド部材１５に摺接し、前記スライド部材１５の昇降に伴って室外障子側（クレセント受け金具１１側）への突出量を増大させるトリガー部材１６と、前記クレセント５の回動軸４と連結され、解錠状態時に前記スライド部材１５との係合により該スライド部材１５の昇降方向の位置を制限するとともに、施錠に当たり障子７，８が正常に閉鎖された状態にあるならば、操作レバー６の回動操作に伴い、前記スライド部材１５が昇降を開始し、前記トリガー部材１６の先端側１６ａがクレセント受け金具１１へ当接することにより、前記スライド部材１５の昇降動作が停止され、これにより前記スライド部材１５と衝合することなく回動が許容されるようになり、障子７，８が正常に閉鎖されていない状態にあるならば、操作レバー６の回動操作に伴い、トリガー部材１６が最大突出状態まで突出するとともに、前記スライド部材１５が昇降上限位置まで移動することにより、前記スライド部材１５との衝合により回動が阻止される回動子１７とから構成されている。
【００２２】
以下、前記空掛け防止機構１４について、さらに詳細に部材毎に詳述するとともに、作動状態について詳述する。
【００２３】
先ず、前記スライド部材１５は、図４に示されるように、内部に大きな開口１５ｂが形成された略板状の部材であり、取付状態で室外障子側となる辺の上部に、トリガー部材１６の他端側１６ｂが摺接する傾斜辺１５ａが形成されているとともに、下端部の一方側寄り位置には外方に突出して回動子１７の回動阻止部１５ｃが形成されている。また、下端面にはバネ用係合突起１５ｄが設けられ、かつ前記回動子１７との係合により昇降方向の位置を規制するための昇降位置規制用係合突部１５ｅが形成されている。
【００２４】
ベース部材３に対する取付状態では、図７に示されるように、一端がベース部材３に係合し他端が前記バネ用係合突起１５ｄに係合したバネ材１８により上方側に付勢保持された状態で配置される。
【００２５】
次いで、前記トリガー部材１６は、図５に示されるように、一端側（先端側）に尖鋭部１６ａが形成されるとともに、他端側（後端側）１６ｂに前記スライド部材１５の傾斜辺１５ａに摺接する傾斜面１６ｃが形成された小片部材であり、側部にはバネ収容孔１６ｅを有する突片１６ｄが形成されている。
【００２６】
ベース部材３に対する取付け状態では、図７に示されるように、ベース部材３の室外障子８側の壁面に形成された開口３ｂから尖鋭部１６ａ側を突出させるとともに、他端側の傾斜面１６ｃをスライド部材１５の傾斜辺１５ａに摺接させた状態で組み付けられるとともに、一端がベース部材３に当接し他端が前記バネ収容孔１６ｅに挿入されたバネ材１９により没入方向に付勢保持された状態で配置される。
【００２７】
一方、前記回動子１７は、内部に回動軸４を連結するために太鼓形状の挿通孔１７ａが形成された略円形状の小片部材であり、表面側（室内面側）には第１バネ部材１２の係止突起１７ｃが形成され（図３参照）、スライド部材１５の当接面側には、図６に示されるように、前記スライド部材１５の回動子阻止部１５ｃへの当接により回動操作が阻止される衝合部１７ｂを有するとともに、前記衝合部１７ｂの内側に周方向に沿って前記スライド部材１５の位置規制用係合突部１５ｅが係合するための摺動溝１７ｄが所定範囲に亘って形成されている。この摺動溝１７ｄは、端部１７ｅ（以下、摺動端という。）に前記位置規制用係合突部１５ｅが係合することにより、スライド部材１５の昇降方向位置を規制するとともに、前記スライド部材１５が静止した状態からでも前記回動子１７を施錠方向に回動可能とするためのものである。
【００２８】
ベース部材３に対する取付け状態では、図７に示されるように、前記スライド部材１５の上面に位置させながらクレセント５の回動軸４を挿通孔１７ａに通しカシメることによって抜脱不能に取り付けられる。
【００２９】
一方、クレセント受け金具は、図１０に示されるように、略方形金属板の内部が切り抜かれ、先端側枠片部１１Ａ、上部枠片部１１Ｂ及び下部枠片部１１Ｃを有し、前記先端側枠片部１１Ａの内側部分にフック１１ａが形成され、切り抜き部の基端がわ側辺部分に障子側に突出した突出段部１１ｂが形成されている。
【００３０】
次に、前述したクレセント錠１の作動状態を図７〜図９により説明する。
【００３１】
図７(A)はクレセント錠１の解錠状態時を示した図（空掛け防止機構１４部分のみを示す。）であり、図７(B)は施錠を図るために、操作レバー６の回動を開始した直後の図である。また、図８は室内障子７及び室外障子８が共に閉鎖されているため施錠が可能となっている場合の作動状態図であり、図９は室内障子７及び／又は室外障子８が開放されたままであるため施錠が不能となっている場合の作動状態図である。
【００３２】
図７(A)の解錠状態時には、前記回動子１７に形成された摺動溝１７ｄの摺動端１７ｅに前記スライド部材１５の昇降位置規制用係合突部１５ｅが係合し、スライド部材１５の昇降方向位置が規制（途中位置で停止）されることにより、前記トリガー部材１６の突出量が制限された状態となっている。因みに、本形態例では解錠時のトリガー部材１６の突出量は1.0mmとなっている。従って、クレセント錠を解錠し、換気や清掃等のために内障子及び外障子の一方を、他方の障子を越える位置まで移動させたとしても、前記トリガー部材１６は外側障子８の戸先側縦框と一切接触することがなくなる。
【００３３】
図７(A)の解錠状態から施錠するために操作レバー６を回動させると、図７(B)に示されるように、操作レバー６の回動に伴い、回動子１７が回動する。回動子１７が回動すると、摺動端１７ｅが上方向に移動するため、スライド部材１５がバネ部材１８の付勢力によって上昇し、これに伴いトリガー部材１６が室外側へ突出するようになる。
【００３４】
仮に、室内障子７及び室外障子８が共に正常に閉鎖されている場合は、図８(A)に示されるように、施錠のために操作レバー６を回動操作すると、回動子１７が回動し、摺動端１７ｅが上方向に移動するため、バネ部材１８の付勢力によりスライド部材１５が上昇し、これに伴いトリガー部材１６が室外側へ突出する。そして、同図８(A)に示されるように、クレセント受け金具１１の突出段部１１ｂに前記トリガー部材１６の先端が当接すると（4.1mm突出位置）、その位置でスライド部材１５の上昇動作が停止するため、回動子１７はスライド部材１５の回動阻止部１５ｃに衝合することなく回動が許容されるため、図８(B)〜(C)に示されるように、操作レバー６を引き続き回動操作することにより施錠が成される。
【００３５】
一方、室内障子７及び／又は室外障子８が正常に閉鎖されていない状態で施錠操作が成されようとした場合には、図９(A)に示されるように、施錠のために操作レバー６を回動操作すると、回動子１７が回動し摺動端１７ｅが上方向に移動するため、バネ部材１８の付勢力によりスライド部材１５が上昇するが、トリガー部材１６がクレセント受け金具１１に当接しないため、スライド部材１５は昇降上限位置まで上昇することとなり、引き続き操作レバー６を回動操作させたとしても、図９(D)に示されるように、回動子１７の衝合部１７ｂがスライド部材１５の回動阻止部１５ｃに衝突するため、それ以上の回動操作が不能となる。
【図面の簡単な説明】
【００３６】
【図１】本発明に係るクレセント錠１の障子への取付状態を示す要部平面図である。
【図２】(A)は前記クレセント錠１の正面図、(B)は室内側からの視図（縦断面図）、(C)はその底面図である。
【図３】クレセント錠１の(A)は施錠状態、(B)は解錠状態を示す裏面図である。
【図４】スライド部材１５の斜視図である。
【図５】トリガー部材１６の斜視図（突片１６ｄを上側とした状態）である。
【図６】回動子１７の斜視図（スライド部材１５への当接面を上側とした状態）である。
【図７】(A)は空掛け防止機構１４の組立て状態を示し、(B)は初期の作動状態を示す図である。
【図８】正常閉鎖状態での作動順序図(A)〜(D)である。
【図９】付勢閉鎖状態での作動順序図(A)〜(D)である。
【図１０】クレセント受け金具１１の(A)は正面図、(B)は水平横断面図である。
【図１１】従来のクレセント錠を示す斜視図である。
【符号の説明】
【００３７】
１…クレセント錠、２…施錠側金物、３…ベース部材、４…回動軸、５…クレセント、６…操作レバー、７…室内障子、８…室外障子、１１…クレセント受け金具、１２…第１バネ部材、１３…ロック片、１４…空掛け防止機構、１５…スライド部材、１５ａ…傾斜辺、１５ｃ…回動阻止部、１６…トリガー部材、１６ｃ…傾斜面、１６ａ…尖鋭部、１６ｅ…バネ収容孔、１７…回動子、１７ｂ…衝合部、１７ｄ…摺動溝、１７ｅ…摺動端
【図１】
2006161276.tif 000003
【図２】
2006161276.tif 000004
【図３】
2006161276.tif 000005
【図４】
2006161276.tif 000006
【図５】
2006161276.tif 000007
【図６】
2006161276.tif 000008
【図７】
2006161276.tif 000009
【図８】
2006161276.tif 000010
【図９】
2006161276.tif 000011
【図１０】
2006161276.tif 000012
【図１１】
2006161276.tif 000013